(57)【要約】      （修正有）【課題】安全且つ効率的な傘の接続をするための、工作物と傘を接続する吊りボルト機能付き傘接続器具を提供する。【解決手段】天井３０ｂに、本体Ａを、吊りボルト支持装置２０ｆを使用することによって接続している。板材２０ｃと棒材と傘支持装置２０ａを手動で遊動させて、それをナット１０ｂで動かないように固定した状態で鳥の巣３０ａの下に固定する。傘支持装置２０ａに、傘を雨天時に通常使用する方向とは反対向きに支持する事によって鳥の糞害を防止する機能を持たせることを特徴としている。傘に糞が当たるようにして糞を受け止める仕組みになる。本体Ａは、ナット１０ｂを緩めることによって手動で遊動出来る為、本体Ａを接続後に、実際の糞が落ちる場所が予想と違った場所であったとしても容易に傘の位置を変えることが出来る。【選択図】図１１
0003193960.tif 000002
【実用新案登録請求の範囲】
【請求項１】
傘を支持することを特徴とした傘支持装置を持つ本体に、
前記本体の一部に、雄螺旋構造を持つ吊りボルト機能部を有することを特徴とし、
雌螺旋構造を持つ吊りボルト支持装置を使用して、工作物と前記本体とを締着することを可能にした、
吊りボルト機能付き傘接続器具。
【請求項２】
前記本体は、傘支持装置から吊りボルト機能部までを、
少なくとも一つの棒材や板材を用いて、
それらを軸架させながら繋ぎ合わせ、
それらを回動させて本体を手動で遊動出来る事を特徴とする、
請求項１に記載の吊りボルト機能付き傘接続器具。
【請求項３】
請求項１または、２において、少なくとも一つの雄螺旋構造を持つ事を特徴とし、
この雄螺旋の軸径は、流通している吊りボルトと螺旋山の軸径を同じにすることにより、
本体と、吊りボルト支持金具とを接続することを可能とした、
請求項１または、２に記載の吊りボルト機能付き傘接続器具。
【請求項４】
請求項１から３のいずれか一項に記載の請求項において、傘を雨天時に通常使用する方向とは反対向きに支持する事によって、
鳥の糞害を防止する機能を持たせることを特徴とした、
請求項１から３のいずれか一項に記載の吊りボルト機能付き傘接続器具。
【請求項５】
請求項１から３のいずれか一項に記載の請求項において、遊動させて固定させた位置で傘を展示する事によって、什器として使用する事を特徴とした、
請求項１から３のいずれか一項に記載の吊りボルト機能付き傘接続器具。
【請求項６】
請求項１から５のいずれか一項に記載の請求項において、傘に宣伝用の文字や記号などを記載する事によって、傘をのぼり旗として使用する事を特徴とした、請求項１から５のいずれか一項に記載の吊りボルト機能付き傘接続器具。
【考案の詳細な説明】
【技術分野】
【０００１】
本考案は、建物などの工作物と傘を接続するための、吊りボルト機能付き傘接続器具に関する。
【背景技術】
【０００２】
従来、例えば、ガムテープや針金などを使用して、傘を雨天時に通常使用する方向とは反対向きに支持する事によって、鳥の糞害を防止していた。
【０００３】
また、傘の展示では、販売するための什器として、ボルトや螺旋など様々な部品を使用して展示を行っている。
【０００４】
また、店舗の宣伝等では、のぼり旗を使用して宣伝を行っている。
【先行技術文献】
【特許文献】
【０００５】
【特許文献１】特開２０１１−３６２３４
【特許文献２】特開２００７−１３１２８５
【非特許文献】
【０００６】
【非特許文献１】公益財団法人  日本野鳥の会  会員室、「あなたもツバメ子育て応援団  子育て見守りハンドブック」、２０１３年５月１日、Ｐ１７
【考案の概要】
【考案が解決しようとする課題】
【０００７】
しかしながら、鳥の糞害を防止する為に傘の支持方法をガムテープや針金を使用する場合、安全性や、手間が掛かるなどの問題があり、鳥が営巣を行うこと自体が敬遠され、燕の巣などを人間が破壊してしまうなどの問題があった。
【０００８】
また、傘の展示では、販売するための什器として、ボルトや螺旋など様々な部品を使用して展示を行う、この場合、部品を組み合わせる手間が発生するため、展示に時間が係り、人件費や、工事費などが係る問題があった。
【０００９】
また、のぼり旗を使用して宣伝を行う場合、のぼり旗自体を見慣れてしまっているため、宣伝効果が少ない問題があった。
【００１０】
本考案は、これらの欺かる実情に鑑みてなされたものであり、用途を問わずに安全且つ効率的な、建物などの工作物と傘を接続するための、吊りボルト機能付き傘接続器具を提供しようとするものである。
【課題を解決するための手段】
【００１１】
（１）本考案は、傘を支持することを特徴とした傘支持装置を持つ本体に、前記本体の一部に、雄螺旋構造を持つ吊りボルト機能部を有することを特徴とし、雌螺旋構造を持つ吊りボルト支持装置を使用して、工作物と前記本体とを締着することを可能にした、吊りボルト機能付き傘接続器具である。
【００１２】
（２）本考案は、前記本体は、傘支持装置から吊りボルト機能部までを、少なくとも一つの棒材や板材を用いて、それらを軸架させながら繋ぎ合わせ、それらを回動させて本体を手動で遊動出来る事を特徴とする、上記（１）に記載の吊りボルト機能付き傘接続器具である。
【００１３】
（３）本考案はまた、少なくとも一つの雄螺旋構造を持つ事を特徴とし、この雄螺旋の軸径は、流通している吊りボルトと螺旋山の軸径と同じにすることにより、本体と、吊りボルト支持金具とを接続することを可能とした、上記（１）または、（２）に記載の吊りボルト機能付き傘接続器具である。
【００１４】
（４）本考案はまた、傘を雨天時に通常使用する方向とは反対向きに支持する事によって、鳥の糞害を防止する機能を持たせることを特徴とした、上記（１）から（３）のいずれか一項に記載の吊りボルト機能付き傘接続器具である。
【００１５】
（５）本考案はまた、遊動させて固定させた位置で傘を展示する事によって、什器として使用する事を特徴とした、上記（１）から（３）のいずれか一項に記載の吊りボルト機能付き傘接続器具である。
【００１６】
（６）本考案はまた、傘に宣伝用の文字や記号などを記載する事によって、傘をのぼり旗として使用する事を特徴とした、上記（１）から（５）のいずれか一項に記載の吊りボルト機能付き傘接続器具である。
【考案の効果】
【００１７】
本考案によれば、用途を問わずに安全且つ効率的な、工作物と傘を接続するための、吊りボルト機能の付いた傘の接続器具を提供することが可能という優れた効果を奏し得る。
【図面の簡単な説明】
【００１８】
【図１】本考案の一実施形態に係る正面図である。
【図２】本考案の一実施形態に係る背面図である。
【図３】本考案の一実施形態に係る右側面図である。
【図４】本考案の一実施形態に係る左側面図である。
【図５】本考案の一実施形態に係る平面図である。
【図６】本考案の一実施形態に係る底面図である。
【図７】本考案の一実施形態に係る吊りボルト支持装置の底面図である。
【図８】本考案の一実施形態に係る傘支持装置の分解図である。
【図９】本考案の一実施形態に係る板材の分解図である。
【図１０】本考案の一実施形態に係る吊りボルト機能部分と吊りボルト支持装置の分解図である。
【図１１】本考案の一実施形態に係る鳥の糞害の防止機能の使用例を示した概略図である。
【図１２】本考案の一実施形態に係る傘を展示させるための什器の使用例を示した説明図である。
【図１３】本考案の一実施形態に係る傘に宣伝用の文字や記号などを記載する事によって、傘をのぼり旗として使用する事の使用例を示した説明図である。
【考案を実施するための形態】
【００１９】
以下、本考案の実施の形態を、添付図面を参照して説明する。
【００２０】
添付図面は、本考案である吊りボルト機能付き傘接続器具の本体Ａと、吊りボルト支持装置２０ｆの一実施形態である。
【００２１】
本体Ａは、傘を支持するための傘支持装置２０ａと、本体の一部に雄螺旋構造１０ｅを持つ吊りボルト機能部２０ｅを有していることが特徴である。
【００２２】
図１から図６までで説明する本体Ａで分かるとおり、傘支持装置２０ａから吊りボルト機能部２０ｅまでを、この例では、棒材２０ｄを２つ、板材２０ｃを一つ用いて、それらに可動部２０ｂを付けた状態でお互いを軸架させながら繋ぎ合わせている。
【００２３】
本体Ａは、少なくとも一つの棒材２０ｄか、板材２０ｃで、傘支持装置２０ａと吊りボルト機能部２０ｅを繋ぎ合わせていれば良く、連結する中間の棒材２０ｄや、板材２０ｃが増えれば軸架する面が増えるので、手動で遊動出来る動きの自由度が上がる。
【００２４】
しかし、例えば、棒材２０ｄや板材２０ｃを使用しないで、傘支持装置２０ａの形状を長くしたり、ボルト支持部２０ｅを長くすることによって、直接繋ぎ合わせることで本体Ａを構成してもよい。
【００２５】
本実施形態では、可動部２０ｂを用いることによって、棒材２０ｄや板材２０ｃの連結をしているが、棒材２０ｄや板材２０ｃに可動部の機能を持たせることで変わりとしてもよい。また、棒材２０ｄや板材２０ｃを柔軟性のある素材を用いる事によって、例えばゴムやバネなど曲がる素材や、曲がる仕組みを用いることによって、可動部の変わりにしてもよい。
【００２６】
傘支持装置２０ａ、可動部２０ｂ、棒材２０ｄ、板材２０ｃ、吊りボルト支持装置２０ｆ、の形状は、図面のとおりに限定される物ではなく、楕円形や、多角形等、その他の断面形状でもよい。
【００２７】
傘支持装置２０ａ、可動部２０ｂ、棒材２０ｄ、板材２０ｃ、吊りボルト支持装置２０ｆを連結させている、ボルト１０ａ、ナット１０ｂは、とくに限定される物ではなく、その他の螺旋や、係合等、既知のいずれの方法でもよい。
【００２８】
本体Ａを構成する材質は、とくに限定されるものではなく、例えば，金属やセラミックス、樹脂、ゴム、木材等、使用条件に応じた適宜の材質を採用できる。本実施形態の本体Ａは、シンプルで加工しやすい形態になっているため、製造方法に限定されることはなく、多種多様な材質から本体Ａを構成することが可能である。
【００２９】
本体Ａは、吊りボルト支持装置２０ｆを使用することによって、建物や広告塔などの工作物と前記本体を締着する。吊りボルト支持装置は、本実施形態の吊りボルト支持装置２０ｆに限定するものではなく、一般に流通している様々な吊りボルト支持装置を使用することによって、工作物のあらゆる場所に本体Ａを接続することが可能であり、安全且つ効率的に本体Ａと工作物を接続出来る。
【００３０】
本体Ａは、工作物自体が、吊りボルト支持装置２０ｆの雌螺旋構造１０ｆを有している場合、吊りボルト支持装置２０ｆを必要としない。
【００３１】
本体Ａは、少なくとも一つの雄螺旋構造１０ｅを持つ事を特徴とする。しかし、本体Ａに雄螺旋構造１０ｅを構造に持たず、別のボルトを取り付けるなどして、例えば、挟む、結合する、滑合する、嵌合する、緩嵌合する、緊合する、掛合する、係合する、継合する、咬合する、重合する、衝合する、整合する、接合する、捻合する、縫合する、螺合するなどして雄螺旋構造１０ｅと同じ機能を持たせる事でもよい。
【００３２】
本体Ａは、吊りボルト機能部２０ｅの有する雄螺旋構造１０ｅの螺旋山の軸径１０ｇは、一般に流通している様々な吊りボルト支持装置の規格と同じ寸法にすることによって、様々な吊りボルト支持装置を使用することが可能になる。しかし、独自の螺旋山の軸径を用いてもよい。
【００３３】
図８は、本考案の一実施形態に係る傘支持装置の分解図であり、傘支持装置２０ａの分解図である。図８の例では、傘と本体の支持面１０ｉで傘を支持できるようになっている。傘の支持面は、傘の手元、はじき、または、石突き等、傘の部位は問わず、いずれの部分でもよい。
【００３４】
図８の傘と本体の支持面１０ｉは、傘支持装置２０ａが、回転軸１０ｄを有することによって、傘を掴持出来る仕組みになっているが、この形状は、とくに指定されるものではなく、握持する。狭持する。拘持する。咬持する。担持する。吊持する。把持する。抱持する。保持するなどの方法で傘を支持出来ればよい。
【００３５】
図１１は、本考案の一実施形態に係る鳥の糞害の防止機能の使用例を示した概略図である。天井３０ｂに、本体Ａを、吊りボルト支持装置２０ｆを使用することによって接続している。板材２０ｃと棒材ｄと傘支持装置２０ａを手動で遊動させて、それをナット１０ｂで動かないように固定した状態で鳥の巣３０ａの下に固定する。
【００３６】
傘支持装置２０ａに、傘を雨天時に通常使用する方向とは反対向きに支持する事によって鳥の糞害を防止する機能を持たせることを特徴としている。傘に糞が当たるようにして糞を受け止める仕組みになる。本体Ａは、ナット１０ｂを緩めることによって手動で遊動出来る為、本体Ａを接続後に、実際の糞が落ちる場所が予想と違った場所であったとしても容易に傘の位置を変えることが出来る。
【００３７】
図１２は、本考案の一実施形態に係る傘を展示させるための什器の使用例を示した説明図である。壁３０ｃに、本体Ａを、吊りボルト支持装置２０ｆを使用することによって接続している。板材２０ｃと棒材ｄと傘支持装置２０ａを手動で遊動させて、それをナット１０ｂで動かないように固定した状態で横向きに展示している。
【００３８】
現在までも、傘を吊したり、何かに引っかけるなどして展示を行っている。しかし、本考案は、上記で説明した専用の傘支持装置２０ａや、吊りボルト機能部２０ｅなどを用いることにより、安全且つ効率的な傘の接続をするための、工作物と傘を接続する吊りボルト機能付き傘接続器具になっている。
【００３９】
図１３は、本考案の一実施形態に係る傘に宣伝用の文字や記号などを記載する事によって、傘をのぼり旗として使用する事の使用例を示した説明図である。図１２と同じく固定した傘に、傘の生地の部分に、宣伝用の文字や記号３０ｅを記載してのぼり旗と同じ機能を持たせている。
【００４０】
今までにも、傘を利用して宣伝を行う事は行われてきたが、宣伝用の文字や記号３０ｅを傘を支持した状態で固定しながら設置できるため、多くの人に見られる機会が増える事になり、宣伝の効率がよくなる。
【００４１】
宣伝用の文字や記号３０ｅは、実施例の文字だけでは無く、写真やイラストや文字を事前に印刷した傘を使用してもよい。
【００４２】
宣伝用の文字や記号３０ｅは、リボンやボールを貼り付けるなどした装飾を行うことで、多くの人に見られる機会を増やすようにしてもよい。
【００４３】
本考案は、上記の用途は勿論のことであるが、雨漏りを受け止めたり、蝙蝠の糞を受け止めたり、雨で濡れた傘を干したりするなどの別の用途に使用することを否定するものではなく、形状から発想される別の用途に使用することもできる。
【００４４】
以上、本考案の一実施の形態について説明したが、本考案の吊りボルト機能付き傘接続器具は、上記した実施の形態に限定されるものではない。本考案の要旨を逸脱しない範囲内で種々の変更を加え得ることは勿論である。
【符号の説明】
【００４５】
Ａ  本体
１０ａ  ボルト
１０ｂ  ナット
１０ｃ  ワッシャー
１０ｄ  回動軸
１０ｅ  雄螺旋構造
１０ｆ  雌螺旋構造
１０ｇ  螺旋山の軸径
１０ｈ  工作物と吊りボルト支持装置の接地面
１０ｉ  傘と本体の支持面
１０ｊ  ボルト差し込み口
１０ｋ  回動穴
１０ｍ  螺旋
２０ａ  傘支持装置
２０ｂ  可動部
２０ｃ  板材
２０ｄ  棒材
２０ｅ  吊りボルト機能部
２０ｆ  吊りボルト支持装置
３０ａ  鳥の巣
３０ｂ  天井
３０ｃ  壁
３０ｄ  傘
３０ｅ  宣伝用の文字や記号
【図１】
0003193960.tif 000003
【図２】
0003193960.tif 000004
【図３】
0003193960.tif 000005
【図４】
0003193960.tif 000006
【図５】
0003193960.tif 000007
【図６】
0003193960.tif 000008
【図７】
0003193960.tif 000009
【図８】
0003193960.tif 000010
【図９】
0003193960.tif 000011
【図１０】
0003193960.tif 000012
【図１１】
0003193960.tif 000013
【図１２】
0003193960.tif 000014
【図１３】
0003193960.tif 000015